(57)【特許請求の範囲】
【請求項１】
直流電源と、該直流電源に接続されたスイッチング素子を含みスイッチング素子のスイッチングにより直流を高周波出力に変換して高周波出力を、フィラメントを有する放電灯の両端間に接続するインバータ回路と、前記直流電源の負極を前記放電灯の一方のフィラメントの一端に接続する放電灯点灯装置において、第１の抵抗と第２の抵抗との直列回路と、第３の抵抗と第４の抵抗との直列回路を並列に接続するとともに、前記第１の抵抗と第２の抵抗との接続点と、第３の抵抗と第４の抵抗との接続点間に第１のコンデンサを接続し、前記両直列回路の並列回路の一端を前記直流電源１の正極に、前記並列回路の他端を第５の抵抗を介して前記直流電源１の負極に接続し、前記第１のコンデンサの一端を前記放電灯のフィラメントの一端に接続して該第１のコンデンサを介して当該フィラメントに予熱電流を流す予熱経路を備えるとともに、前記第５の抵抗に第２のコンデンサを並列接続して該第２のコンデンサの両端電圧が第１の基準電圧以上となると、前記インバータ回路の出力を制限若しくは前記インバータ回路の動作を停止させる第１の検出手段を備えていることを特徴とする放電灯点灯装置。
【請求項２】
前記第１のコンデンサは、前記インバータ回路の高周波出力が接続されない前記放電灯の両方のフィラメントの非電源側端間に接続されていることを特徴とする請求項１記載の放電灯点灯装置。
【請求項３】
前記第１のコンデンサは前記インバータ回路の高周波出力及び直流電源と絶縁されている電圧源から前記放電灯のフィラメントへ予熱電流を流す経路に挿入されていることを特徴とする請求項１記載の放電灯点灯装置。
【請求項４】
前記放電灯と並列に前記直流電源の負極側からダイオードと第４のコンデンサとの直列回路を接続し、前前記ダイオードと第４のコンデンサの中点の電圧の平均値を検出して該検出電圧が第２の基準電圧以上になると、前記インバータ回路出力を制限若しくは前記インバータ回路の動作を停止させる第２の検出手段を備えたことを特徴とする請求項１〜３の何れか記載の放電灯点灯装置。
【請求項５】
前記インバータ回路の動作周波数を変化させて前記放電灯を調光制御する制御手段を備えたことを特徴とする請求項４記載の放電灯点灯装置。
【請求項６】
前記第２の基準電圧が前記放電灯の調光レベルに応じて変化することを特徴とする請求項５記載の放電灯点灯装置。
【請求項７】
前記放電灯のフィラメントを予熱するフィラメント予熱モードから放電灯を点灯させる点灯モードとなるように前記インバータ回路の出力を制御する予熱制御部と、フィラメント予熱モードにおいて、前記第１及び第２の検出手段の検出電圧を無効とする手段とを備えたことを特徴とする請求項１〜６の何れか記載の放電灯点灯装置。
【発明の詳細な説明】
【０００１】
【発明の属する技術分野】
本発明は、フィラメントを有する放電灯を高周波点灯する放電灯点灯装置に関するものである。
【０００２】
【従来の技術】
従来、蛍光灯のような放電灯をインバータ回路により高周波点灯する放電灯点灯装置では、無負荷状態（放電灯が外れた状態）や寿命末期等で放電灯のフィラメントが断線した時にインバータ回路の発振が継続されると出力部やソケット部分に高電圧が発生して感電等の危険が生じる虞があるので、上記のような異常発生時にはインバータ回路の発振を強制的に停止することが一般的によく行われている。
【０００３】
図２６は上記のような異常発生時にインバータ回路の発振を強制的に停止するようにした従来の放電灯点灯装置の一例を示す回路図である。この従来装置は所謂ハーフブリッジ式のインバータ回路２から構成されており、直流電源１（一般には商用電源と、それを整流・平滑する回路から成る）の両端に一対のスイッチング素子Ｑ1 ，Ｑ2 の直列回路を接続し、高電位側のスイッチング素子Ｑ1 と並列に直流カット用のコンデンサＣ1 、インダクタＬ1 、放電灯Ｌａの低電位側のフィラメントｆ2 、共振用のコンデンサＣ2 、高電位側のフィラメントｆ1 の直列回路を接続して、制御回路３により一対のスイッチング素子Ｑ1 ，Ｑ2 を交互に高周波でオン・オフすることで放電灯Ｌａを高周波点灯させるものである。
【０００４】
ここで、高電位側のフィラメントｆ1 の一端とコンデンサＣ2 の接続点と、直流電源１の負極との間に２つの分圧抵抗Ｒ40，Ｒ41の直列回路を接続するとともに、分圧抵抗Ｒ40，Ｒ41の接続点にベースが接続され、分圧抵抗Ｒ41と直流電源１の負極との接続点にエミッタが接続され且つコレクタに抵抗Ｒ42を介して一定の動作電源ＶCCが印加されるトランジスタＱ3 ’を設けてあり、さらにこのトランジスタＱ3 ’のコレクタと抵抗Ｒ42との接続点から得られる信号（発振停止信号）が制御回路３に出力されている。
【０００５】
つまり、無負荷状態や寿命末期等で放電灯Ｌａのフィラメントｆ1 が断線した場合、分圧抵抗Ｒ40，Ｒ41の接続点の電圧が低下し、トランジスタＱ3 ’がオフとなって制御回路３には発振停止信号（ハイレベルの信号）が出力される。これにより、制御回路３からスイッチング素子Ｑ1 ，Ｑ2 への駆動信号が出力されずにインバータ回路２の発振を停止して高電圧の発生を防止するようになっている。
【０００６】
本構成によれば、フィラメントｆ1 の断線は検出できるがフィラメントｆ2 の断線については考慮されていない。
【０００７】
一方、対地電圧を下げる目的などで放電灯を低電圧側のスイッチング素子Ｑ2 に接続する場合がある。このとき両フィラメントｆ1 、ｆ2 共に検出できる方法が図２７に示すように提案されている。
【０００８】
この図２７に示す放電灯点灯装置は、直流電源１の両端に一対のスイッチング素子Ｑ1 ，Ｑ2 を直列に接続し、直流カット用のコンデンサＣ1 、インダクタ（バラストチョーク）Ｌ1 並びに放電灯（蛍光灯）Ｌａの直列回路を低電位側のスイッチング素子Ｑ2 と並列に放電灯Ｌａの低電位側のフィラメントｆ2 の電源側が直流電源１の負極側（グランド側）となるように接続し、放電灯Ｌａの両フィラメントｆ1 ，ｆ2 の非電源側端間に共振用のコンデンサＣ2 を接続し、制御回路３により一対のスイッチング素子Ｑ1 ，Ｑ2 を交互にオン・オフ駆動する従来周知のハーフブリッジ式のインバータ回路２を具備するものであって、放電灯Ｌａの高電位側のフィラメントｆ1 の電源側端と直流電源１の正極との間に接続される第１の抵抗Ｒ50と、放電灯Ｌａの高電位側のフィラメントｆ1 の両端に接続される第２の抵抗Ｒ51と、放電灯の両フィラメントｆ1 ，ｆ2 の非電源側に直列接続される第３及び第４の抵抗Ｒ52，Ｒ53と、放電灯Ｌａの低電位側のフィラメントｆ2 の両端に接続される第５の抵抗Ｒ54と、第３及び第４の抵抗Ｒ52，Ｒ53の接続点ａに現れる検出電圧Ｖａに基づいて放電灯Ｌａの両フィラメントｆ1 ，ｆ2 の断線を検出してインバータ回路２の発振を停止させる検出回路４とを備えている。
【０００９】
検出回路４は、第４の抵抗Ｒ53に並列に接続された抵抗Ｒ55とコンデンサＣ4 ’から成る積分回路と、積分回路を介して入力される検出電圧Ｖａをそれぞれ異なる基準電圧Ｖref10 ，Ｖref20 と比較する一対のコンパレータＣＰ10，ＣＰ20とを備え、各コンパレータＣＰ10，ＣＰ20の出力端が抵抗Ｒ56を介して動作電源ＶCC電圧にプルアップされるとともに制御回路３に接続されている。
【００１０】
正常時の両フィラメントｆ1 ，ｆ2 が正しく接続されている状態では、検出電圧Ｖａは以下の式で表される。但し、Ｒ50〜Ｒ54≫Ｒf として近似している。
【００１１】
Ｖａ＝Ｒ53／（Ｒ50＋Ｒ52＋Ｒ53）×ＶDC
一方、高電位側のフィラメントｆ1 が断線した状態における検出電圧Ｖa ｆ1 は下式で表される。
【００１２】
Ｖa ｆ1 ＝Ｒ53／（Ｒ50＋Ｒ51＋Ｒ52＋Ｒ53）×ＶDC
よって、正常時の検出電圧Ｖａよりも高電位側のフィラメントｆ1 が断線したときの検出電圧Ｖa ｆ1 が低くなるので（Ｖａ＞Ｖa ｆ1 ）、コンパレータＣＰ10の基準電圧Ｖref10 を上記検出電圧Ｖa ｆ1 よりも若干高いレベルに設定する（図２８参照）。
【００１３】
また、低電位側のフィラメントｆ2 が断線した状態における検出電圧Ｖa ｆ2 は下式で表される。
【００１４】
Ｖa ｆ1 ＝（Ｒ53＋Ｒ54）／（Ｒ50＋Ｒ52＋Ｒ53＋Ｒ54）×ＶDC
よって、正常時の検出電圧Ｖａよりも低電位側のフィラメントｆ2 が断線したときの検出電圧Ｖa ｆ2 が高くなるので（Ｖａ＜Ｖa ｆ2 ）、コンパレータＣＰ20の基準電圧Ｖref2を上記検出電圧Ｖa ｆ1 よりも若干低いレベルに設定する（図２８参照）。
【００１５】
而して、正常時にはコンパレータＣＰ10，ＣＰ20の出力が共にＨレベルとなり、制御回路３にも検出回路４からＨレベルの信号が入力されて通常通りスイッチング素子Ｑ1 ，Ｑ2 を交互にオン・オフ駆動する。そして、高電位側のフィラメントｆ1 が断線した場合には、コンパレータＣＰ10の出力がＬレベルに下がるため、検出回路４から制御回路３にＬレベルの信号（停止信号）が入力されてスイッチング素子Ｑ1 ，Ｑ2 の駆動を止めてインバータ回路２の発振が停止される。また、低電位側のフィラメントｆ2 が断線した場合には、コンパレータＣＰ20の出力がＬレベルに下がるため、検出回路４から制御回路３にＬレベルの信号（停止信号）が入力されてスイッチング素子Ｑ1 ，Ｑ2 の駆動を止めてインバータ回路２の発振が停止される。すなわち、放電灯Ｌａの少なくとも一方のフィラメントｆ1 ，ｆ2 が断線あるいは外れたときに検出回路４から停止信号が出力されて制御回路３によるスイッチング素子Ｑ1 ，Ｑ2 の駆動が止まることにより、インバータ回路２の発振が停止されることになる。
【００１６】
【発明が解決しようとする課題】
ところで図２７の従来例の構成においては、接続異常の状態を検出することができるが、コンパレータを２個用いるなど、回路が複雑となり、コストアップもなる。
【００１７】
本発明は、このような問題点に鑑みて為されたもので、その目的とするところは簡単で安価に製作できるな構成により、接続異常を検出できて安全性を保つことができる放電灯点灯装置を提供するものである。
【００１８】
【課題を解決するための手段】
上記目的を達成するために、請求項１の発明では、直流電源と、該直流電源に接続されたスイッチング素子を含みスイッチング素子のスイッチングにより直流を高周波出力に変換して高周波出力を、フィラメントを有する放電灯の両端間に接続するインバータ回路と、前記直流電源の負極を前記放電灯の一方のフィラメントの一端に接続する放電灯点灯装置において、第１の抵抗と第２の抵抗との直列回路と、第３の抵抗と第４の抵抗との直列回路を並列に接続するとともに、前記第１の抵抗と第２の抵抗との接続点と、第３の抵抗と第４の抵抗との接続点間に第１のコンデンサを接続し、前記両直列回路の並列回路の一端を前記直流電源１の正極に、前記並列回路の他端を第５の抵抗を介して前記直流電源１の負極に接続し、前記第１のコンデンサの一端を前記放電灯のフィラメントの一端に接続して該第１のコンデンサを介して当該フィラメントに予熱電流を流す予熱経路を備えるとともに、前記第５の抵抗に第２のコンデンサを並列接続して該第２のコンデンサの両端電圧が第１の基準電圧以上となると、前記インバータ回路の出力を制限若しくは前記インバータ回路の動作を停止させる第１の検出手段を備えていることを特徴とする。
【００１９】
請求項２の発明では、請求項１の発明において、前記第１のコンデンサは、前記インバータ回路の高周波出力が接続されない前記放電灯の両方のフィラメントの非電源側端間に接続されていることを特徴とする。
【００２０】
請求項３の発明では、請求項１の発明において、前記第１のコンデンサは前記インバータ回路の高周波出力及び直流電源と絶縁されている電圧源から前記放電灯のフィラメントへ予熱電流を流す経路に挿入されていることを特徴とする。
【００２１】
請求項４の発明では、請求項１〜３の何れかの発明において、前記放電灯と並列に前記直流電源の負極側からダイオードと第３のコンデンサとの直列回路を接続し、前前記ダイオードと第３のコンデンサの中点の電圧の平均値を検出して該検出電圧が第２の基準電圧以上になると、前記インバータ回路出力を制限若しくは前記インバータ回路の動作を停止させる第２の検出手段を備えたことを特徴とする。
【００２２】
請求項５の発明では、請求項４の発明において、前記インバータ回路の動作周波数を変化させて前記放電灯を調光制御する制御手段を備えたことを特徴とする。
【００２３】
請求項６の発明では、請求項５の発明において、前記第２の基準電圧が前記放電灯の調光レベルに応じて変化することを特徴とする。
【００２４】
請求項７の発明では、請求項１〜６の何れかの発明において、前記放電灯のフィラメントを予熱するフィラメント予熱モードから放電灯を点灯させる点灯モードとなるように前記インバータ回路の出力を制御する予熱制御部と、フィラメント予熱モードにおいて、前記第１及び第２の検出手段の検出電圧を無効とする手段とを備えたことを特徴とする。
【００２５】
【発明の実施の形態】
（実施形態１）
図１は本実施形態の回路構成を示しており、インバータ回路２は、直流電源１にＭＯＳＦＥＴからなるスイッチング素子Ｑ1 ，Ｑ2 の直列回路を接続し、両スイッチング素子Ｑ1 ，Ｑ2 の接続点には電流トランスＣＴの１次巻線と、直流カット用コンデンサＣ1 と、インダクタＬ1 との直列回路を接続し、インダクタＬ1 を介して出力を負荷へ供給するようになっている。具体的にはインダクタＬ1 に蛍光ランプからなる放電灯Ｌａの一方のフィラメントｆ1 の一端ａを接続し、直流電源１の負極にフィラメントｆ2 の一端ｃを接続してインダクタＬ1 と直流電源１の負極との間に放電灯Ｌａを接続してある。そしてインダクタＬ1 と共振回路を構成する共振用コンデンサＣ2 を第１のコンデンサとして放電灯Ｌａの両フィラメントｆ1 ，ｆ2 の非電源側端ｂ、ｄ間に接続してある。また直流電源１の正極とフィラメントｆ1 ，ｆ2 の非電源側端ｂ、ｄとの間には夫々抵抗Ｒ1 ，Ｒ2 を接続してある。コンデンサＣ2 の両端は直流電源１の正極側に夫々抵抗Ｒ1 ，Ｒ2 を介して接続し、また抵抗Ｒ3 ，Ｒ4 と、抵抗Ｒ5 を介して直流電源１の負極側に接続してある。
【００２６】
電流トランスＣＴは一方の２次巻線の一端を両スイッチング素子Ｑ1 ．Ｑ2 の接続点に、他端を抵抗Ｒ6 を介してスイッチング素子Ｑ1 のゲートに、また他方の２次巻線の一端をグランドに（直流電源１の負極側）に他端を抵抗Ｒ7 を介してスイッチング素子Ｑ2 のゲートに接続してあり、電流トランスＣＴの２次出力により，交互にスイッチング素子Ｑ1 ，Ｑ2 をオン・オフさせて自励発振を行うようになっている。尚電源投入時の起動回路は本発明の要旨とは直接関係ないので図示していないが、適宜な周知の回路を用いて何れかのスイッチング素子を起動させるのは言うまでもない。
【００２７】
スイッチング素子Ｑ2 のゲートとグランド側との間には後述するコンパレータＣＰ1 の”Ｈ”出力でオンしてスイッチング素子Ｑ2 のゲート電圧をカットし、オフさせることによりインバータ回路２の動作を停止させるトランジスタからなるスイッチング素子Ｑ3 を接続してある。
【００２８】
上記抵抗Ｒ5 には並列に第２のコンデンサとして積分回路用のコンデンサＣ3 を接続して、該並列回路の両端に発生する直流電圧を検出電圧としてコンパレーラＣＰ1 の非反転入力端子に入力している。コンパレータＣＰ1 は、反転入力端子に入力する基準電圧Ｖref1と比較して検出電圧が基準電圧Ｖref1未満では出力端子をショートして出力を”Ｌ”とし、基準電圧Ｖref1以上になると出力端子をオープンして出力を”Ｈ”とする上オープンコレクタ型のコンパレータからなるい。このコンパレータＣＰ1 と上記スイッチング素子Ｑ3 とで第１の検出手段である接続不良検出手段を構成する。尚コンパレータＣＰ1 の出力端子は抵抗Ｒ0 を介して動作電源Ｖcc電圧にプルアップされている。
【００２９】
尚動作電源Ｖccは直流電源１から所定電圧に変換する電源回路或いは直接得るようになっている。
【００３０】
ここで上記抵抗Ｒ1 〜Ｒ4 は放電灯Ｌａの点灯時の等価抵抗（数百オーム）及びフィラメントｆ1 ，ｆ2 の等価抵抗（数オーム〜数十オーム）に対して、十分大きな値に設定している。
【００３１】
次に本実施形態の動作を図２〜図４を用いて説明する。
【００３２】
まず図２（ａ）に示す放電灯Ｌａ及びフィラメントｆ1 ，ｆ2 回りの回路を、放電灯Ｌａ，フィラメントｆ1 ，ｆ2 を等価抵抗ＲLa，Ｒf1，Ｒf2で示すと図２（ｂ）に示すようになる。但しＲLa，Ｒf1，Ｒf2≪Ｒ1 〜Ｒ4 である。
【００３３】
ここで放電灯Ｌａが正常に接続されている場合、フィラメントｆ1 の一端ｂと抵抗Ｒ1 との接続点▲１▼及びフィラメントｆ2 の一端ｄと抵抗Ｒ2 との接続点▲２▼の電圧は，直流電圧成分としては略０Ｖとなり、コンデンサＣ3 と抵抗Ｒ5 の並列回路の電圧（▲３▼点）も略０Ｖとなる。つまり▲３▼点電圧＜基準電圧Ｖref1となって、コンパレータＣＰ1 は出力が”Ｌ”となり、そのためスイッチング素子Ｑ3 がオフでインバータ回路２は動作状態にある。
【００３４】
次に放電灯Ｌａのフィラメントｆ1 の非電源側端ｂが外れた場合、図３に示すような等価回路となり、抵抗Ｒ1 、コンデンサＣ2 、抵抗Ｒf2の回路に直流電源１より電流が流れて、コンデンサＣ2 に直流電圧成分が重畳され、▲３▼点電圧は概略以下の値となり、この電圧値が基準電圧Ｖref1以上となるように設定している。
【００３５】
▲３▼点電圧≒［ＶDC×（Ｒ5 ／Ｒ4 ）］／［Ｒ1 ＋Ｒ3 ＋（Ｒ5 ／Ｒ4 ）］
従って、コンパレータＣＰ1 の出力が”Ｈ”となり、スイッチング素子Ｑ3 がオンする。このオンによりスイッチング素子Ｑ2 がオフしてインバータ回路２の動作が停止する。
【００３６】
次に放電灯Ｌａのフィラメントｆ2 の非電源側端ｄが外れた場合、図４に示すような等価回路となり、抵抗Ｒ2 、コンデンサＣ2 ，抵抗Ｒf1，ＲLaに電流が流れて、コンデンサＣ2 に直流電圧成分が重畳され、▲３▼点電圧は概略以下の値となり、この電圧値が基準電圧Ｖref1以上となるように設定している。
【００３７】
▲３▼点電圧≒［ＶDC×（Ｒ5 ／Ｒ3 ）］／［Ｒ2 ＋Ｒ4 ＋（Ｒ5 ／Ｒ3 ）］
従って、この場合もコンパレータＣＰ1 の出力が”Ｈ”となり、スイッチング素子Ｑ3 がオンする。このオンによりスイッチング素子Ｑ2 がオフしてインバータ回路２の動作が停止する。
【００３８】
また放電灯Ｌａのフィラメントｆ1 、ｆ2 の電源側端ａ、ｃの何れかが外れた場合にはコンデンサＣ2 とインダクタＬ1 による共振ループが形成されず、そのため電流トランスＣＴの１次巻線に電流が流れず、インバータ回路２の動作が停止する。
【００３９】
以上のように本実施形態ではコンパレータＣＰ1 を１つだけ設けた構成によって、回路を簡略化したものであるが、放電灯Ｌａのフィラメントｆ1 、ｆ2 の何れかの一端が外れると、インバータ回路２の動作を停止させて安全性を確保している。
【００４０】
（実施形態２）
図５は本実施形態の回路構成を示している。
【００４１】
上記実施形態１では放電灯Ｌａのフィラメントｆ1 、ｆ2 の非電源側端ｂ、ｄ間に共振用コンデンサＣ2 を接続して所謂コンデンサ予熱の構成をとっているが、本実施形態では，図５に示すように共振用コンデンサＣ2 をインバータ回路２の出力側、つまり放電灯Ｌａのフィラメントｆ1 、ｆ2 の電源側端ａ、ｃ間に接続し、放電灯Ｌａのフィラメントｆ1 ，ｆ2 をインダクタＬ1 に設けた２次巻線ｎ2,３次巻線ｎ3 に接続して、これらの巻線出力で予熱を行う点と、検出手段として基準電圧とコンパレータを用いる代わりに、トランジスタのベース・エミッタ電圧ＶＢＥを利用している点で相違している。そしてフィラメントｆ1 ，ｆ2 の非電源側端ｂ、ｄと、電圧源である２次巻線ｎ2,３次巻線ｎ3 との間にはコンデンサＣ4 ，Ｃ5 を夫々挿入してある。そしてコンデンサＣ4 が第１のコンデンサを構成し、このコンデンサＣ4 の両端に直流電源１の正極を抵抗Ｒ1 ，Ｒ2 を夫々介して接続し、更にコンデンサＣ4 の両端を直流電源１の負極との間に抵抗Ｒ3 ，Ｒ4 と抵抗Ｒ5 とを介して接続してある。また放電灯Ｌａのフィラメントｆ2 の非電源側端ｄを抵抗Ｒ8 を介して直流電源１の正極に接続するとともに抵抗Ｒ9 ，Ｒ10を介して直流電源１の負極に接続してある。そして抵抗Ｒ5 に並列に第２のコンデンサである積分回路用のコンデンサＣ3 を接続し、この並列回路の電圧をスイッチング素子Ｑ2 のゲートと直流電源１の負極との間に接続したトランジスタからなるスイッチング素子Ｑ3 のベース・エミッタ間に印加するようになっている。またスイッチング素子Ｑ3 には別のトランジスタからなるスイッチング素子Ｑ4を並列に接続し、このスイッチング素子Ｑ4 のベース・エミッタ間には抵抗Ｒ9と積分回路用コンデンサＣ6 の並列回路の電圧を印加するようになっている。
【００４２】
そしてスイッチング素子Ｑ3 ，Ｑ4 はベース・エミッタ間電圧がＶBE（略０．７Ｖ）を越えたときにオンしてスイッチング素子Ｑ2 のゲート電圧をバイパスしてオフさせ、インバータ回路２を停止させる検出手段をそれぞれ構成している。
【００４３】
尚図５中ｅ〜ｈは相互の接続関係を示す。その他の回路要素は図１の回路構成と同じであるから，同じ回路要素には同じ記号，番号を付し説明は省略する。
【００４４】
次に本実施形態の動作を図６〜図１０により説明する。
【００４５】
まず放電灯Ｌａ及びフィラメントｆ1 ，ｆ2 回りの回路において、放電灯Ｌａ，フィラメントｆ1 ，ｆ2 を等価抵抗ＲLa，Ｒf1，Ｒf2で示すと図６に示すようになる。但しＲLa，Ｒf1，Ｒf2≪抵抗Ｒ1 〜Ｒ4 ，Ｒ8 ，Ｒ9 としている。
またインダクタＬ1 の各巻線ｎ1 〜ｎ3 は直流電流に対してインピーダンスは０であるのでここでは省略している。
【００４６】
さて図６のように放電灯Ｌａが正常に接続されている場合には、ＲLa，Ｒf1，Ｒf2≪抵抗Ｒ1 〜Ｒ4 ，Ｒ8 ，Ｒ9 であるため、▲１▼，▲１▼’及び▲２▼の各点の電圧は直流電圧成分としては略０Ｖとなり、▲３▼及び▲３▼’点の各電圧も略０Ｖとなる。つまり▲３▼及び▲３▼’点の各電圧はスイッチング素子Ｑ3 及びＱ4 のＶBEよりも小さく、両スイッチング素子Ｑ3 及びＱ4 はオフで、インバータ回路２は動作する。
【００４７】
次に放電灯Ｌａのフィラメントｆ1 の電源側端ａが外れている場合には、等価回路は図７に示すようになり、抵抗Ｒ2 、コンデンサＣ4 、抵抗Ｒf1、ＲLaの回路に直流電源１より電流が流れてコンデンサＣ4 に直流電圧成分が重畳され、▲３▼点電圧は概略以下の値となり、この電圧がスイッチング素子Ｑ3 のＶBE以上となるように設定している。
【００４８】
▲３▼点電圧≒［ＶDC×（Ｒ5 ／Ｒ3 ）］／［Ｒ2 ＋Ｒ4 ＋（Ｒ5 ／Ｒ3 ）］
従って、スイッチング素子Ｑ3 がオンしてスイッチング素子Ｑ2 をオフさせ、インバータ回路２の動作を停止させる。
【００４９】
次に放電灯Ｌａのフィラメントｆ1 の非電源側端ｂが外れている場合には、等価回路は図８に示すようになり、抵抗Ｒ1 、コンデンサＣ4 、抵抗ＲLaの回路に直流電源１より電流が流れてコンデンサＣ4 に直流電圧成分が重畳され、▲３▼点電圧は概略以下の値となり、この電圧がスイッチングＱ3 のＶBE以上となるように設定している。
【００５０】
▲３▼点電圧≒［ＶDC×（Ｒ5 ／Ｒ4 ）］／［Ｒ1 ＋Ｒ3 ＋（Ｒ5 ／Ｒ4 ）］
従って、スイッチング素子Ｑ3 がオンしてスイッチング素子Ｑ2 をオフさせ、インバータ回路２の動作を停止させる。
【００５１】
また放電灯Ｌａのフィラメントｆ2 の電源側端ｃが外れている場合には、等価回路は図９に示すようになり、抵抗Ｒ8 、コンデンサＣ5 の回路に直流電源１より電流が流れてコンデンサＣ5 に直流電圧成分が重畳され、▲３▼’点電圧は概略以下の値となり、この電圧がスイッチングＱ4 のＶBE以上となるように設定している。
【００５２】
【数１】
0003932672.tif 000002
従って、スイッチング素子Ｑ4 がオンしてスイッチング素子Ｑ2 をオフさせ、インバータ回路２の動作を停止させる。
【００５３】
このとき▲３▼点電圧も上昇し，概略以下の値となり，この電圧をスイッチング素子Ｑ3 のＶBE以上となるように設定しても良い。
【００５４】
【数２】
0003932672.tif 000003
また次に放電灯Ｌａのフィラメントｆ2 の非電源側端ｄが外れている場合には、等価回路は図１０に示すようになり、抵抗Ｒ8 、コンデンサＣ5 の回路に直流電源１より電流が流れてコンデンサＣ5 に直流電圧成分が重畳され、▲３▼’点電圧は概略以下の値となり、この電圧がスイッチングＱ4 のＶBE以上となるように設定している。
【００５５】
▲３▼’点電圧≒ＶDC×［Ｒ10×（Ｒ8 ＋Ｒ9 ＋Ｒ10）
従ってスイッチング素子Ｑ4 がオンしてスイッチング素子Ｑ2 をオフさせ、インバータ回路２の動作を停止させる。
【００５６】
以上のように本実施形態ではコンパレータを用いずに、回路を簡略化したものであるが、放電灯Ｌａのフィラメントｆ1 、ｆ2 の何れかの一端が外れると、インバータ回路２の動作を停止させて安全性を確保している。
【００５７】
（実施形態３）
実施形態１、２は何れも１本の放電灯を点灯させる放電灯点灯装置であったが、本実施形態は図１１に示すように蛍光ランプからなる２本の放電灯Ｌａ1 ．Ｌａ2 を直列点灯させる装置であり、２灯直列回路の両端の放電灯Ｌａ1 、Ｌａ2 のフィランメントｆ1 ，ｆ4 の非電源側端間に共振用コンデンサＣ2 を接続して予熱コンデンサ構成により両フィラメントｆ1 、ｆ4 を予熱するようにし、互いに一端ａ，ｃが直列接続された他方のフィラメントｆ2 、ｆ3 にはインダクタＬ1 に設けた２次巻線ｎ2 の出力で予熱を行うように、他端ｂ、ｄ間に第１のコンデンサであるコンデンサＣ4 を介して２次巻線ｎ2 を接続してある。
【００５８】
そしてコンデンサＣ4 の両端には直流電源１の正極を抵抗Ｒ1 ，Ｒ2 を介して接続するとともに直流電源１の負極を抵抗Ｒ4 ，Ｒ3 と抵抗Ｒ5 とを介して接続してある。また抵抗Ｒ5 には第２のコンデンサである積分回路用のコンデンサＣ3 を並列接続してある。そして実施形態２と同様にコンパレータを用いずに、トランジスタのＶBEを利用した検出手段を設けてある。つまりインバータ回路２のスイッチング素子Ｑ2 のゲートと直流電源１の負極との間に接続したトランジスタからなるスイッチング素子Ｑ3 のベース・エミッタ間にコンデンサＣ3 の電圧を印加するようになっている。
【００５９】
尚その他の回路構成は図１の回路構成と同じであるから，同じ回路要素には同じ記号，番号を付し説明は省略する。
【００６０】
次に本実施形態の動作を図１２〜図１５により説明する。
【００６１】
まず放電灯Ｌａ及びフィラメントｆ1 ，ｆ2 回りの回路において、放電灯Ｌａ1 、Ｌａ2 ，フィラメントｆ1 ，ｆ2 、ｆ3 、ｆ4 を等価抵抗ＲLa1 ，ＲLa2 、Ｒf1，Ｒf2，Ｒf3，Ｒf4で示すと図１２に示すようになる。但しＲLa1 ，ＲLa2 、Ｒf1〜Ｒf4≪抵抗Ｒ1 〜Ｒ4 としている。
またインダクタＬ1 の各巻線ｎ1 、ｎ2 は直流電流に対してインピーダンスは０であるのでここでは省略している。
【００６２】
さて図１２のように放電灯Ｌａが正常に接続されている場合には、ＲLa1 ，ＲLa，Ｒf1〜Ｒf4≪抵抗Ｒ1 〜Ｒ4 であるため、▲１▼，▲１▼’の各点の電圧は直流電圧成分としては略０Ｖとなり、▲３▼点の電圧も略０Ｖとなる。つまり▲３▼点電圧はスイッチング素子Ｑ3 のＶBEよりも小さく、スイッチング素子Ｑ3 はオフで、インバータ回路２は動作する。
【００６３】
次に放電灯Ｌａ1 、Ｌａ2 のフィラメントｆ2 ，ｆ3 の一端ａ、ｃが外れている場合には、等価回路は図１３に示すようになり、抵抗Ｒ1 、コンデンサＣ4 、抵抗Ｒf3、ＲLa2 の回路に直流電源１より電流が流れてコンデンサＣ4 に直流電圧成分が重畳され、▲３▼点電圧は概略以下の値となり、この電圧がスイッチングＱ3 のＶBE以上となるように設定している。
【００６４】
▲３▼点電圧≒［ＶDC×（Ｒ5 ／Ｒ4 ）］／［Ｒ1 ＋Ｒ3 ＋（Ｒ5 ／Ｒ4 ）］
従って、スイッチング素子Ｑ3 がオンしてスイッチング素子Ｑ2 をオフさせ、インバータ回路２の動作を停止させる。
【００６５】
次に放電灯Ｌａ1 のフィラメントｆ2 の他端ｂが外れている場合には、等価回路は図１４に示すようになり、抵抗Ｒ1 、コンデンサＣ4 、抵抗Ｒf3, ＲLa2 の回路に直流電源１より電流が流れてコンデンサＣ4 に直流電圧成分が重畳され、▲３▼点電圧は概略以下の値となり、この電圧がスイッチングＱ3 のＶBE以上となるように設定している。
【００６６】
▲３▼点電圧≒［ＶDC×（Ｒ5 ／Ｒ4 ）］／［Ｒ1 ＋Ｒ3 ＋（Ｒ5 ／Ｒ4 ）］
従って、スイッチング素子Ｑ3 がオンしてスイッチング素子Ｑ2 をオフさせ、インバータ回路２の動作を停止させる。
【００６７】
また放電灯Ｌａ2 のフィラメントｆ3 の他端ｄが外れている場合には、等価回路は図１５に示すようになり、抵抗Ｒ2 、コンデンサＣ4 、抵抗Ｒf2，ＲLa2 の回路に直流電源１より電流が流れてコンデンサＣ4 に直流電圧成分が重畳され、▲３▼点電圧は概略以下の値となり、この電圧がスイッチングＱ3 のＶBE以上となるように設定している。
【００６８】
▲３▼点電圧≒［ＶDC×（Ｒ5 ／Ｒ3 ）］／［Ｒ2 ＋Ｒ4 ＋（Ｒ5 ／Ｒ3 ）］
尚フィラメントｆ1 、ｆ4 の接続異常時には、実施形態１と同様に共振ループが構成されず、インバータ回路２の動作が停止する。
【００６９】
以上のように本実施形態ではコンパレータを用いずに、回路を簡略化したものであるが、放電灯Ｌａ1 ，Ｌａ2 のフィラメントｆ1 〜ｆ2 の何れかの一端が外れると、インバータ回路２の動作を停止させて安全性を確保している。
【００７０】
（実施形態４）
本実施形態はインバータ回路２のスイッチング素子Ｑ1 ，Ｑ2 のスイッチングが制御回路３により制御される他励式のものである点と、放電灯Ｌａのフィランメントｆ1 、ｆ2 の非電源端間に、共振用コンデンサＣ2 を接続してこのコンデンサを第１のコンデンサとし、該コンデンサＣ2 の両端に直流電源１の正極を抵抗Ｒ1 、Ｒ2 を介して接続し、また直流電源１の負極に対して抵抗Ｒ3 ，Ｒ4 と抵抗Ｒ5 とを介して接続し、抵抗Ｒ5 の両端に第２のコンデンサである積分回路用のコンデンサＣ3 を接続し、このコンデンサＣ3 の両端電圧をスイッチング素子Ｑ3 のベース・エミッタ間に接続して該スイッチング素子Ｑ3 を検出手段として用いたものであり、このスイッチング素子Ｑ3 を介して制御回路３の制御端子を直流電源１の負極に接続してある。
【００７１】
また放電灯Ｌａのフィラメントｆ1 、ｆ2 の非電源側端間には直流電源１の負極側からダイオードＤ1 、第３のコンデンサである直流カット用コンデンサＣ6 の直列回路を接続し、ダイオードＤ1 には並列に抵抗Ｒ11，Ｒ12の直列回路を接続し、更に抵抗Ｒ12に並列にコンデンサＣ7 を接続し、このコンデンサＣ7 の両端電圧をコンパレータＣＰ20の反転入力端子に接続してある。コンパレータＣＰ20はオープンコレタク型のもので，出力端子を制御回路３の制御端子に接続してあり、非反転入力端子の電圧が第２の基準電圧Ｖref2未満の場合には出力端子をオープンし、基準電圧Ｖref2以上の場合には出力端子をショートして制御回路３の制御端子を”Ｌ”とするようになっている。制御回路３は制御端子がスイッチング素子Ｑ3 がオンして”Ｌ”となるか又はコンパレータＣＰ2 の出力端子がショートして”Ｌ”となったときに制御動作を停止して、インバータ回路１の動作を停止させるようになっている。
【００７２】
ここで上記ダイオードＤ1 、コンデンサＣ6 の直列回路、抵抗Ｒ11，Ｒ12の直列回路、コンデンサＣ7 、コンパレータＣＰ2 の回路で放電灯Ｌａの寿命末期検出用の第２の検出手段を構成する。
【００７３】
而してフィラメントｆ1 、ｆ2 の非電源側端の何れかが外れた場合には実施形態１の場合と同様にコンデンサＣ2 に直流電圧成分が重畳し、コンデンサＣ3 の電圧がスイッチング素子Ｑ3 のＶBE以上となってスイッチング素子Ｑ3 がオンし、その結果制御回路３はインバータ回路２のスイッチング素子Ｑ1 ，Ｑ2 の駆動信号の出力を停止してインバータ回路２の動作を停止させる。
【００７４】
またフィラメントｆ1 、ｆ2 の電源側端が外れると共振ループが構成されず、インバータ回路１は発振動作が規制される。
【００７５】
次に放電灯Ｌａのフィラメントｆ1 或いはｆ2 又はｆ1 ，ｆ2 共寿命末期になった場合について図１７、１８により説明する。
【００７６】
図１７，図１８は図１６の▲１▼点，▲２▼点の電圧波形を夫々示しており、各図の（ａ）は正常時の波形を、各図の（ｂ）はフィラメントｆ1 の寿命末期（片側エミレス）の波形を、さらに各図の（ｃ）はフィラメントｆ2 の寿命末期（片側エミレス）の波形を、各図の（ｄ）はフィラメントｆ1 、ｆ2 の寿命末期（両側エミレス）の波形を夫々実線で示している。また夫々の波形の平均値（▲３▼点電圧及び▲４▼点電圧に比例）を各図（ａ）〜（ｄ）において破線で示している。
【００７７】
ここで両側エミレスにおいて、放電灯Ｌａにはある程度電流が流れているため，このときの放電灯ＬａのインピーダンスＲLa’は抵抗Ｒ1 ，Ｒ3 と比較してかなり小さな値となっている。
【００７８】
図１７，図１８の（ｂ）で示すｆ1 寿命末期時は上述した実施形態の接続不良時と同様の動作となる。つまり片側エミレスの一方向に対して、今まで述べてきた実施形態の第１の検出手段である接続不良検出手段で対応することができる。
【００７９】
次にコンデンサＣ6 とダイオードＤ1 の中点電圧を検出する第２の検出手段である寿命検出手段の動作を説明する。
【００８０】
通常コンデンサＣ6 とダイオードＤ1 の中点電圧の平均値を検出する方法は片側エミレス（両方向）、両側エミレス共に有効となるようにピーク電圧検出手段が用いられ、図１６における抵抗Ｒ11，Ｒ12の接続点と、コンデンサＣ7 の間に図１９に示すようにダイオードを挿入する構成をとる。この場合コンデンサＣ7 の両端には比較的高インピーダンスの抵抗を放電抵抗として接続するのが一般的である。
【００８１】
しかしながら、放電灯自体のバラツキや、周囲温度の要因などで管電圧の上昇が小さいと、検出動作がうまくできないことが発生してしまう。
【００８２】
そこで本実施形態では、図１７，図１８の（ｃ）で示すよう片側エミレス（ｆ2 寿命末期）において、正常時との差を大きくとることができる。
【００８３】
ｆ1 寿命末期時は逆にピーク電圧検出と比較して正常時との差が小さくなる。
【００８４】
本実施形態の第２の検出手段を追加することにより、接続不良の検出だけではなく、放電灯Ｌａの寿命末期時をも確実に検出することができ、そして寿命末期検出時にもインバータ回路２の動作を停止させるため、極めて安全性の高い放電灯点灯装置を提供できることになる。
【００８５】
（実施形態５）
本実施形態は、接続不良、寿命末期に対応する第１，第２の検出手段を備えるとともに、放電灯Ｌａを調光比３０％以下の低光束まで安定した点灯状態を得ることができる放電灯点灯装置を提供するものである。
【００８６】
本実施形態は図２０に示すように接続不良の検出手段の構成は図５の実施形態に準ずるものであり、また寿命末期の検出手段の構成は図１６に示す構成に準ずるものである。そしてインバータ回路２はインダクタＬ1 とコンデサンＣ2 で構成される第１の共振回路の他に、インダクタＬ1 と放電灯Ｌａとの間に第２の共振回路を構成するコンデンサＣ10を直列に挿入することにより、放電灯Ｌａの調光点灯時の発振周波数を第１の共振回路の固有振動周波数に近づけ，出力電圧を大きくして安定に点灯させるようになっている。スイッチング素子Ｑ1 ，Ｑ2 を駆動を制御する制御回路３は駆動回路３０と、発振制御部３１と、調光信号処理部３２とからなり外部からの調光信号を入力した調光信号処理部３２は調光信号のオンデュティの比率で示される調光レベルに応じた電圧信号を発振制御部３１に対して出力する。発振制御部３１は調光信号処理部３２の電圧信号に応じて所定の発振周波数の駆動用信号を駆動回路３０に与えて、駆動回路３０から当該周波数の駆動信号を出力させてスイッチング素子Ｑ1 ，Ｑ2 を駆動するようになっている。また発振制御部３１はコンパレータＣＰ2 の出力が”Ｌ”または、スイッチング素子Ｑ3 ，Ｑ4 の何れかがオンして制御端子が”Ｌ”となると、駆動回路３０からスイッチング素子Ｑ1 ，Ｑ2 への駆動信号の出力を停止させ、接続不良や、寿命末期時にインバータ回路２の動作を停止させるようになっている。
【００８７】
図２１は本実施形態のインバータ回路２の出力電圧の周波数特性を示しており、図中（イ）は全点灯時の放電灯等価抵抗における出力特性を、（ロ）は調光点灯時の放電灯等価抵抗における出力特性を、（ハ）は無負荷時（ＲLa＝∞）の出力特性を、（ニ）は負荷短絡時（ＲLa＝０）の出力特性を示す。
【００８８】
この図２１から分かるように全点灯時の発振周波数と調光時の発振周波数の間に第１の共振回路の固有振動周波数が存在する。
【００８９】
この固有振動周波数近辺での放電灯点灯モードにおいてフィラメント断線等により放電灯Ｌａが切り離された状態が発生すると、インバータ回路２の出力が非常な高電圧となり、安全上好ましくないとともに、回路部品のストレスが大きくなって破壊するという不具合が発生する。
【００９０】
本実施形態では、放電灯Ｌａと並列にコンデンサＣ6 とダイオードＤ1 の直列回路が接続されているため、放電灯Ｌａが切り離された瞬間の過渡状態においては、コンデンサＣ6 が共振回路に影響を与える。つまり過渡状態においては図２２（ａ）（ｂ）の二つの動作モードを半周期毎に繰り返すことになるため、回路部品のストレスが低減できる。
【００９１】
これと同時に▲３▼点及び▲４▼点の電圧ともに所定値以上となり、スイッチング素子Ｑ3 がオンし、コンパレータＣＰ2 の出力が”Ｌ”となって、インバータ回路２の動作が停止する。従って回路部品の破壊がなく、極めて安全性の高い放電灯点灯装置を提供することができる。
【００９２】
尚上述で説明した以外の図２０中、図１６及び図５の回路要素と同様な役割を持つ回路要素には同じ記号，番号を付し説明は省略する。
【００９３】
（実施形態６）
本実施形態は図２０におけるコンパレータＣＰ2 の基準電圧Ｖref2を放電灯Ｌａの調光レベルに応じて変化させるものであり、基本的には図２０の回路を用いる。
【００９４】
図２３は本実施形態の要部である調光信号処理部３２の具体構成を示しており、調光信号処理部３２は動作電源Ｖccに抵抗Ｒ15とＲ16との直列回路を接続し、抵抗Ｒ16にはコンデンサＣ9 を並列に接続するとともに、抵抗Ｒ17を介してスイッチング素子Ｑ5 を並列接続してある。トランジスタからなるスイッチング素子Ｑ5 はベースを抵抗Ｒ14を介して動作電源Ｖccに接続するとともにベース・エミッタ間にフォトカプラＰＣの出力端子間を並列接続してある。フォトカプラＰＣは入力端子間には抵抗Ｒ13を介して調光信号を取込み、調光信号の”Ｈ”期間でオンし、”Ｌ”期間でオフするようになっている。
【００９５】
従ってフォトフォトカプラＰＣがオフ時にはスイッチング素子Ｑ5 がオンして抵抗Ｒ17とＲ16の並列回路をコンデンサＣ9 に接続し、フォトフォトカプラＰＣがオン時にはスイッチング素子Ｑ5 がオフして抵抗Ｒ16のみをコンデンサＣ9 に接続するようになっており、コンデンサＣ9 の充電電圧をフォトカプラＰＣのオフ期間、つまり調光信号の１周期（ｉ）に対する”Ｈ”期間（ｊ）の比率［（ｊ／ｉ）×１００［％］］、つまりオンデュティの比率により変えるようになっている。
【００９６】
例えば全点灯時にはオンデュティ比率が０％であり，調光点灯時には１００％としている。
【００９７】
発振制御部３１は調光信号処理部３２の出力端▲５▼の電圧に応じた駆動用信号を出力し、出力端▲５▼の電圧が高い程周波数の高くする駆動用信号を出力する。このようにしておけば一般的に、周波数が高く成る程，調光レベルが深くなるので、それに伴い、放電灯Ｌａの両端電圧及び図２０の▲４▼点の電圧も高くなる。
【００９８】
このとき前述のように基準電圧Ｖref2も高くなっていくので、放電灯Ｌａの調光レベルに応じて基準電圧Ｖref2が変化することになり、極めて高い検出が可能となる。
【００９９】
尚図２３の回路とは逆に発振制御部３１が調光信号処理部３２の出力端子▲５▼の電圧が高い程周波数を低くする場合には図２４の回路を用いる。この場合抵抗Ｒ17を抵抗Ｒ16に対してフォトカプラＰＣを介して並列に接続し、スイッチング素子Ｑ5 のコレクタを動作電源Ｖccに接続されている抵抗Ｒ20，Ｒ21の直列回路の接続点に抵抗Ｒ22を介して接続し、抵抗Ｒ21にはコンデンサＣ10を並列に接続し、このコンデンサＣ10の両端電圧を基準電圧Ｖref2としている。
【０１００】
いずれにしても発振制御部３１は調光信号処理部３２内のスイッチング素子Ｑ5 のオン期間とオフ期間の比率により定まる直流電圧が入力され、またこのスイッチング素子Ｑ5 のオンオフを利用した基準電圧Ｖref2を作ることにより、簡単な構成で極めて精度の高い検出手段を構成することができる。
【０１０１】
（実施形態７）
本実施形態は図２５に示すように予熱制御部５を設け、放電灯Ｌａをフィラメント予熱モードから点灯モードとなるようにインバータ回路２の出力を変化させるようにしたもので、その他の構成は基本的には図２０の回路を用いる。
【０１０２】
予熱制御部５は動作電源Ｖccを抵抗Ｒ30，Ｒ31で分圧し、その分圧電圧をコンパレータＣＰ3 の反転入力端子に接続し、さらに動作電源Ｖccに抵抗Ｒ32を介して接続されたコンデンサＣ11の電圧をコンパレータＣＰ3 の非反転入力端子に接続し、コンパレータＣＰ3 の出力端子には図２３に示す回路構成を基本とする調光信号処理部３２のスイッチング素子Ｑ5 のベースがダイオードＤ4 を介して接続されるとともに、出力端▲５▼がダイオードＤ5 と抵抗Ｒ33を介して接続してある。そして図２０における▲３▼点，▲４▼点がダイオードＤ6 ，Ｄ7 を夫々介して接続してある。尚調光信号処理部３２のスイッチング素子Ｑ5 のエミッタにはダイオードＤ3 を直列接続してある。またスイッチング素子Ｑ3 のエミッタにはダイオードＤ8 を接続してある。
【０１０３】
而してフィラメント予熱モード（コンデンサＣ11の電圧（動作電源Ｖccから抵抗Ｒ32を介して充電）＜Ｖcc×［Ｒ31／（Ｒ30＋Ｒ31）］においてはコンパレータＣＰ3 の出力端子がショートされて、その出力が”Ｌ”となり、そのためダイオードＤ5 ，抵抗Ｒ33を介してコンデンサＣ9 の電荷を放電させ、調光信号処理部３２の出力端▲５▼の電圧を下げる。つまりインバータ回路２の周波数を高くするように発振制御部３１が動作して、インバータ回路２の出力を低下させると同時に、ダイイードＤ6 ，Ｄ7 により▲３▼点及び▲４▼の電圧を略０Ｖとして、検出動作を禁止している。尚ダイオードＤ4 は調光信号を無効とするためのものである。
【０１０４】
次に点灯モード（コンデンサＣ11の電圧（動作電源Ｖccから抵抗Ｒ32を介して充電）＞Ｖcc×［Ｒ31／（Ｒ30＋Ｒ31）］となると、コンパレータＣＰ3 の出力端がオープンとなって、その出力が”Ｈ”となり、そのため調光信号処理部３２の出力端▲５▼の電圧が下がらず、インバータ回路２の周波数を下げるように発振制御部３１が動作して、インバータ回路２の出力を高くして放電灯Ｌａを点灯に至らせるとともに、検出動作の禁止を解除する。
【０１０５】
これは放電灯Ｌａが不点灯状態のフィラメント予熱モードにおいては、放電灯Ｌａの等価抵抗ＲLaは∞であるので、▲３▼点及び▲４▼点の電圧が上昇してしまい，正常状態を誤検出してしまうことを防止する目的とする。
【０１０６】
このように本実施形態の構成により点灯状態で放電灯Ｌａの接続不良及び放電灯Ｌａの寿命が発生すると，速やかに検出動作を行うことができるのである。
【０１０７】
【発明の効果】
請求項１の発明は、直流電源と、該直流電源に接続されたスイッチング素子を含みスイッチング素子のスイッチングにより直流を高周波出力に変換して高周波出力を、フィラメントを有する放電灯の両端間に接続するインバータ回路と、前記直流電源の負極を前記放電灯の一方のフィラメントの一端に接続する放電灯点灯装置において、第１の抵抗と第２の抵抗との直列回路と、第３の抵抗と第４の抵抗との直列回路を並列に接続するとともに、前記第１の抵抗と第２の抵抗との接続点と、第３の抵抗と第４の抵抗との接続点間に第１のコンデンサを接続し、前記両直列回路の並列回路の一端を前記直流電源１の正極に、前記並列回路の他端を第５の抵抗を介して前記直流電源１の負極に接続し、前記第１のコンデンサの一端を前記放電灯のフィラメントの一端に接続して該第１のコンデンサを介して当該フィラメントに予熱電流を流す予熱経路を備えるとともに、前記第５の抵抗に第２のコンデンサを並列接続して該第２のコンデンサの両端電圧が第１の基準電圧以上となると、前記インバータ回路の出力を制限若しくは前記インバータ回路の動作を停止させる第１の検出手段を備えているので、簡単な構成で製作コストも安価な検出手段により放電灯の接続不良を検出でき、しかもインバータ回路の出力を制限若しくは動作を停止させるので、インバータ回路の回路部品がストレスにより破壊されるようなことがなくて安全性が高く、また放電灯にも余分なストレスを加えることが無いので、放電灯の寿命を損なうことがない放電灯点灯装置を提供することができるという効果がある。
【０１０８】
請求項２の発明は、請求項１の発明において、前記第１のコンデンサを、前記インバータ回路の高周波出力が接続されない前記放電灯の両方のフィラメントの非電源側端間に接続しているので、第１のコンデンサを共振用コンデンサで兼用でき、構成の簡単化が一層図れる。
【０１０９】
請求項３の発明は、請求項１の発明において、前記第１のコンデンサを、前記インバータ回路の高周波出力及び直流電源と絶縁されている電圧源から前記放電灯のフィラメントへ予熱電流を流す経路に挿入しているので、予熱電流の制限素子として第１のコンデンサを兼用でき、構成の簡単化が一層図れる。
【０１１０】
請求項４の発明は、請求項１〜３の何れかの発明において、前記放電灯と並列に前記直流電源の負極側からダイオードと第３のコンデンサとの直列回路を接続し、前前記ダイオードと第３のコンデンサの中点の電圧の平均値を検出して該検出電圧が第２の基準電圧以上になると、前記インバータ回路出力を制限若しくは前記インバータ回路の動作を停止させる第２の検出手段を備えたので、上述の効果を有するとともに、放電灯の寿命末期も検出することができ、しかもインバータ回路の出力を制限若しくは動作を停止させるので、インバータ回路の回路部品がストレスにより破壊されるようなことがなく、安全性の高い放電灯点灯装置を提供することができる。
【０１１１】
請求項５の発明は、請求項４の発明において、前記インバータ回路の動作周波数を変化させて前記放電灯を調光制御する制御手段を備えたので、調光制御を行う放電灯点灯装置において、請求項４の発明の効果を得ることができる。
【０１１２】
請求項６の発明は、請求項５の発明において、前記第２の基準電圧が前記放電灯の調光レベルに応じて変化するので、簡単な構成で、極めて精度の高い第２の検出手段を構成することができる。
【０１１３】
請求項７の発明は、請求項１〜６の何れかの発明において、前記放電灯のフィラメントを予熱するフィラメント予熱モードから放電灯を点灯させる点灯モードとなるように前記インバータ回路の出力を制御する予熱制御部と、フィラメント予熱モードにおいて、前記第１及び第２の検出手段の検出電圧を無効とする手段とを備えたので、点灯状態で放電灯の接続不良、寿命が発生すると，速やかにその検出動作を行うことができる。
【図面の簡単な説明】
【図１】実施形態１を示す回路図である。
【図２】同上の正常接続時の動作説明図である。
【図３】同上の接続不良時の動作説明図である。
【図４】同上の別の接続不良時の動作説明図である。
【図５】実施形態２を示す回路図である。
【図６】同上の正常接続時の動作説明図である。
【図７】同上の接続不良時の動作説明図である。
【図８】同上の別の接続不良時の動作説明図である。
【図９】同上の他の接続不良時の動作説明図である。
【図１０】同上の更に別の接続不良時の動作説明図である。
【図１１】実施形態３を示す回路図である。
【図１２】同上の正常接続時の動作説明図である。
【図１３】同上の接続不良時の動作説明図である。
【図１４】同上の別の接続不良時の動作説明図である。
【図１５】同上の他の接続不良時の動作説明図である。
【図１６】実施形態４を示す具体回路図である。
【図１７】同上の動作を説明するための波形図である。
【図１８】同上の動作を説明するための波形図である。
【図１９】同上を説明するための回路図である。
【図２０】実施形態５を示す回路図である。
【図２１】同上を説明するための周波数特性図である。
【図２２】同上を説明するための回路図である。
【図２３】実施形態６を示す要部の回路図である。
【図２４】実施形態６の別の例を示す要部の回路図である。
【図２５】実施形態７を示す要部の回路図である。
【図２６】従来例を示す具体回路図である。
【図２７】別の従来例を示す具体回路図である。
【図２８】同上の動作説明図である。
【符号の説明】
１  直流電源
２  インバータ回路
Ｒ1 〜Ｒ7,Ｒ0   抵抗
Ｌａ  放電灯
ｆ1,ｆ2   フィラメント
ＣＰ1   コンパレータ
Ｖref1  基準電圧
Ｑ1 , Ｑ2   スイッチング素子
ＣＴ  電流トランス
Ｌ1   インダクタ
Ｖcc  動作電源
【図１】
0003932672.tif 000004
【図２】
0003932672.tif 000005
【図３】
0003932672.tif 000006
【図４】
0003932672.tif 000007
【図５】
0003932672.tif 000008
【図６】
0003932672.tif 000009
【図７】
0003932672.tif 000010
【図８】
0003932672.tif 000011
【図９】
0003932672.tif 000012
【図１０】
0003932672.tif 000013
【図１１】
0003932672.tif 000014
【図１２】
0003932672.tif 000015
【図１３】
0003932672.tif 000016
【図１４】
0003932672.tif 000017
【図１５】
0003932672.tif 000018
【図１６】
0003932672.tif 000019
【図１７】
0003932672.tif 000020
【図１８】
0003932672.tif 000021
【図１９】
0003932672.tif 000022
【図２０】
0003932672.tif 000023
【図２１】
0003932672.tif 000024
【図２２】
0003932672.tif 000025
【図２３】
0003932672.tif 000026
【図２４】
0003932672.tif 000027
【図２５】
0003932672.tif 000028
【図２６】
0003932672.tif 000029
【図２７】
0003932672.tif 000030
【図２８】
0003932672.tif 000031